(57)【要約】【課題】簡単な構成でバルブ機構を設けることができるシャッタ装置。【解決手段】セクターと、セクターを閉鎖方向に付勢する付勢部材と、セクターを開放方向に蹴飛ばしてセクターの開閉動作を行わせる蹴飛ばし部材と、を備えたシャッタ装置において、第１位置と第２位置との間を移動し、第１位置から第２位置への移動時にセクターを開放方向に移動させるべく作用する作用部を有する移動部材を蹴飛ばし部材とは独立して設け、移動部材の第１位置から第２位置への移動時は作用部の移動によりセクターを付勢部材の付勢力に抗して開放位置に移動させると共に、移動部材が第２位置にある間セクターを開放状態に保持し、移動部材の第２位置から第１位置への移動時はセクターが付勢部材の付勢力により作用部の移動に追随して閉鎖方向に移動するように構成したこと。【選択図】　　　　図３
2004053731.tif 000002
【特許請求の範囲】
【請求項１】
セクターと、
前記セクターを閉鎖方向に付勢する付勢部材と、
前記セクターを開放方向に蹴飛ばして前記セクターの開閉動作を行わせる蹴飛ばし部材と、を備えたシャッタ装置において、
第１位置と第２位置との間を移動し、前記第１位置から前記第２位置への移動時に前記セクターを開放方向に移動させるべく作用する作用部を有する移動部材を前記蹴飛ばし部材とは独立して設け、
前記移動部材の前記第１位置から前記第２位置への移動時は前記作用部の移動により前記セクターを前記付勢部材の付勢力に抗して開放位置に移動させると共に、前記移動部材が前記第２位置にある間前記セクターを開放状態に保持し、
前記移動部材の前記第２位置から前記第１位置への移動時は前記セクターが前記付勢部材の付勢力により前記作用部の移動に追随して閉鎖方向に移動するように構成したことを特徴とするシャッタ装置。
【請求項２】
前記移動部材は複数の絞りを有することを特徴とする請求項１に記載のシャッタ装置。
【請求項３】
前記移動部材は小絞りと大絞りとを有し、前記第１位置においては小絞りが撮影レンズの光軸上に位置し、前記第２位置においては大絞りが前記光軸上に位置することを特徴とする請求項２に記載のシャッタ装置。
【請求項４】
請求項１〜３の何れか１項に記載のシャッタ装置を備えたことを特徴とするカメラ。
【請求項５】
ストロボ装置と、該ストロボ装置の電源をオン・オフするストロボスイッチレバーと、を備え、
前記ストロボスイッチレバーに連動して前記移動部材が移動することを特徴とする請求項４に記載のカメラ。
【請求項６】
前記ストロボスイッチレバーにより前記ストロボ装置の電源をオフにしたときは前記移動部材は前記第１位置にあり、前記ストロボスイッチレバーにより前記ストロボ装置の電源をオンにしたときは前記移動部材は前記第２位置にあることを特徴とする請求項５に記載のカメラ。
【請求項７】
前記移動部材を前記第２位置に移動させ、前記蹴飛ばし部材により前記セクターを開放方向に蹴飛ばしたとき、前記ストロボ装置を発光させるシンクロスイッチがオンになることを特徴とする請求項５又は請求項６に記載のカメラ。
【発明の詳細な説明】
【０００１】
【発明の属する技術分野】
本発明は、バルブ撮影が可能なシャッタ装置、及びそのシャッタ装置を備えたカメラに関する。
【０００２】
【従来の技術】
従来より、１枚のセクター（シャッタ羽根）が往復回動するシャッタ装置（通称ギロチンシャッタ）は簡易で安価なカメラに用いられており、レンズ付きフィルムユニットにも用いられている。
【０００３】
通常のレンズ付きフィルムユニットのシャッタ装置においてはシャッタ速度が一速であり、絞りは開放絞りのみであるが、中には絞りを開放絞りと小絞りとの二つの絞りに切り換えできるようにし、高輝度の被写体に対しては小絞りで撮影し、低輝度の被写体に対しては開放絞りでストロボ撮影を行うようにしたレンズ付きフィルムユニットが知られている。このような二つの絞りに切り換えできるレンズ付きフィルムユニットを使用すると、従来のレンズ付きフィルムユニットに較べて、高輝度においては露出過多になることが防止でき、低輝度においては人物等の主要被写体をストロボ光で適正露出に撮影できると共に、背景も露出不足で暗くならずに視認できるようになる。
【０００４】
【発明が解決しようとする課題】
前述の如き二つの絞りに切り換えできるレンズ付きフィルムユニットを用いると撮影範囲が拡大するが、非常に暗い場所での撮影では背景が露出不足になることは避けられない。このためには、明るい開放絞りとなる撮影レンズを設けるか、低速シャッタを設けるかの二つの方法が考えられるが、共にコストアップになり、低価格を旨とするレンズ付きフィルムユニット等の安価なカメラに適用するのは困難である。
【０００５】
また、バルブ機構を設けたシャッタ装置が従来より知られているが、非常に複雑な機構を有していたり、電子シャッタであったりして、このような従来のバルブ機構付きシャッタ装置を簡素で低価格を旨とするカメラに用いるのは困難である。
【０００６】
本発明はかかる問題に鑑みてなされたものであり、簡単な構成のバルブ機構を設けたシャッタ装置及びそのシャッタ装置を備えたカメラを提供することを目的とする。
【０００７】
【課題を解決するための手段】
上記目的は下記の手段により達成される。
【０００８】
セクターと、前記セクターを閉鎖方向に付勢する付勢部材と、前記セクターを開放方向に蹴飛ばして前記セクターの開閉動作を行わせる蹴飛ばし部材と、を備えたシャッタ装置において、第１位置と第２位置との間を移動し、前記第１位置から前記第２位置への移動時に前記セクターを開放方向に移動させるべく作用する作用部を有する移動部材を前記蹴飛ばし部材とは独立して設け、前記移動部材の前記第１位置から前記第２位置への移動時は前記作用部の移動により前記セクターを前記付勢部材の付勢力に抗して開放位置に移動させると共に、前記移動部材が前記第２位置にある間前記セクターを開放状態に保持し、前記移動部材の前記第２位置から前記第１位置への移動時は前記セクターが前記付勢部材の付勢力により前記作用部の移動に追随して閉鎖方向に移動するように構成したことを特徴とするシャッタ装置。
【０００９】
【発明の実施の形態】
本発明のシャッタ装置の一実施の形態をレンズ付きフィルムユニットを例として図を参照して説明する。
【００１０】
図１はレンズ付きフィルムユニットの分解斜視図、図２は小絞りにしたときの外装部品を外したレンズ付きフィルムユニットの正面図、図３は大絞りにしたときの外装部品を外したレンズ付きフィルムユニットの正面図、図４は操作部材とストロボスイッチの拡大断面図、図５はシャッタ装置等の分解斜視図、図６はシャッタ駆動機構の主要部の斜視図、図７は異なる形態のセクター等の正面図である。
【００１１】
図１において、１はフィルムを保持し、シャッタ装置、ストロボ装置、及び巻上げ機構等の各種の撮影機構を搭載したユニット本体、２はユニット本体１を前方から被覆する前カバー、３はユニット本体１を後方から被覆する後カバーである。
【００１２】
２０はストロボ装置であり、４は操作部材である。操作部材４を手動操作することにより、後述するようにストロボ装置２０を作動状態にしたり、絞りを切り換えたりする。操作部材４はストロボ装置２０の上に重ねられ、更に前カバー２を装着することによって、操作部材４はストロボ装置２０と共に保持され、左右方向に自在に摺動することができる。
【００１３】
操作部材４はつまみ４ａを有し、つまみ４ａを前カバー２に設けた長孔２ａかた突出させているので、つまみ４ａを指先で左右に移動させて操作部材４を図２及び図３に示す左右の２カ所の位置に摺動させることができる。なお、ユニット本体１は左右に平行な２本のリブ１ａを有し、図示していないが操作部材４の裏面に同様に設けた２本のリブがリブ１ａと嵌合するので、操作部材４はリブ１ａに案内されて円滑に摺動する。
【００１４】
ストロボ装置２０のプリント基板２１にはストロボ回路の電源をオンにし、ストロボ回路を作動状態にするメインスイッチ２２が配置されている。メインスイッチ２２は導通性を有する金属板から形成され、先端に二股部を有している。そして、図４に示すように操作部材４の裏面に設けたリブ４ｂにより、メインスイッチ２２を押圧することによって、メインスイッチ２２の先端の二股部がプリント基板２１の二つの導電性パターンに接触し、ストロボ回路の電源はオンになる。
【００１５】
即ち、操作部材４を図２の如く左方に摺動させたときはメインスイッチ２２がオフになり、操作部材４を図３の如く右方に摺動させて右端を突出させたときはメインスイッチ２２がオンとなる。
【００１６】
なお、操作部材４はメインスイッチ２２を左方から押圧するので、リブ４ｂに沿って傾斜部４ｃが設けられ、操作部４が図２と図３の位置の略中間位置に移動したとき、メインスイッチ２２がオンとなり、操作部材４が右端位置に移動する間はオンの状態を維持している。このようにすることにより、後述するように絞り切換部材１３に掛けたねじりコイルばね１４の最大荷重位置とメインスイッチ２２の動作加重の最大位置とを略一致させることにより、メインスイッチ２２の切り換えと絞り切換部材１３とが途中で止まることなく確実に作動するようになる。
【００１７】
次に、シャッタ装置等を図５を参照して説明する。
シャッタ装置１０は、後述するシャッタ駆動機構によって開閉作動するセクター１２、二つの絞り孔１３ａ，１３ｂを有する絞り切換部材１３、ねじりコイルばね１４、及びこれらを保持するシャッタ地板１１からなる。
【００１８】
シャッタ地板１１には開口部１１ａが中央に穿設されており、開口部１１ａは比較的明るいＦ値を有する２枚構成の撮影レンズＬ１，Ｌ２によりフィルム面に被写体像を結像する光束を通過させる。また、２段の太さの支軸１１ｂが立設していて、支軸１１ｂの奥にて４カ所が切り欠かれた形状の太い軸にはセクター１２の回転孔１２ａが嵌合し、支軸１１ｂの先端側の細い軸には絞り切換部材１３の回転孔１３ｃが嵌合している。
【００１９】
セクター１２の上端には二股部１２ｂが設けられ、後述するセクターレバーの先端が係合し、シャッタレリーズによってセクター１２が急速に反時計方向に回動した後、時計方向に回動することによって、開口部１１ａに対して撮影レンズＬ１，Ｌ２からの光束を開閉する。また、セクター１２には連動ピン１２ｃが立設し、絞り切換部材１３に設けた切り欠き部１３ｇに挿入される。
【００２０】
ねじりコイルばね１４は、一端１４ａが絞り切換部材１３のばね掛けピン１３ｄに、他端１４ｂがシャッタ地板１１の軸１１ｃに係合し、撮影レンズＬ１，Ｌ２の光軸に対して絞り切換部材１３の絞り孔１３ａ，１３ｂを何れかに切り換えるべく、絞り切換部材１３を相反する二方向に付勢している。
【００２１】
また、シャッタ地板１１の軸１１ｃの根本には、３本のリブ１１ｄが軸１１ｃより放射状に形成されている。この３本のリブ１１ｄは左右と上方の３カ所に形成され、下方には形成されていない。この理由は、ねじりコイルばね１４の他端１４ｂのばね材先端部がシャッタ地板１１の面１１ｅに当接してねじりコイルばね１４の作動が不円滑にならないようにするためであって、リブ１１ｄと面１１ｅとの間に段差を設けて、他端１４ｂのばね材先端部を図２に示すリブ１１ｄがない下方の部所に位置させ、ばね材先端部を面１１ｅに当接させないようにしている。
【００２２】
また、絞り切換部材１３の下部に突出した係合ピン１３ｅに操作部材４の左端の二股部４ｄが係合している。なお、操作部材４を回動させる力を小さくするために、係合ピン１３ｅは回転孔１３ｃからは遠い位置に配置されている。
【００２３】
また、係合ピン１３ｅは撮影レンズＬ１，Ｌ２よりフィルム面側に位置するようにしている。これにより、撮影レンズ部の周囲を薄く構成することができる。
【００２４】
次に、シャッタ駆動機構の主要部を図６を参照して説明する。
３１はチャージレバーであり、軸受け部３１ａによりユニット本体１に立設した支軸１ｃに回動自在に支持されているが、図示していないチャージバネによって右部が図の奥方向に移動するように（上方から見たときに反時計方向に回動）に付勢されている。
【００２５】
３２はセクターレバーであり、長孔に形成された軸受け部３２ａによりユニット本体１に立設した支軸１ｄに回動自在に支持されている。軸受け部３２ａの右方にはバネ掛けピン３２ｂが立設し、そのバネ掛けピン３２ｂとユニット本体１に立設したバネ掛けピン１ｅとの間に引っ張りバネ３３が張架されている。従って、セクターレバー３２は引っ張りバネ３３によって右部が図の奥方向に移動するように（上方から見たときに反時計方向に回動）に付勢されている。なお、引っ張りバネ３３の付勢力は前述のチャージバネの付勢力よりかなり弱く形成されている。また、セクターレバー３２の前部にはセクター回動ピン３２ｃが突出し、セクター１２の先端に設けた二股部１２ｂに挿入されている。なお、セクターレバー３２の右端に設けたピン３２ｄはストロボ装置２０に設けた図示していないシンクロスイッチを作動させるためのものであって、ピン３２ｄが図の手前に移動する際にシンクロスイッチをオンさせて、ストロボ装置２０を発光させる。
【００２６】
次に、操作部材４の操作により図２の状態にしたときと図３の状態にしたときの作動を図１、図４乃至図６を参照して説明する。
【００２７】
先ず、図２においては高輝度の撮影に適した状態であり、操作部材４を左方に摺動操作してある。このときは絞り切換部材１３はねじりコイルばね１４の付勢力によって時計方向に回動し、絞り切換部材１３のばね掛けピン１３ｄの基部がシャッタ地板１１に設けたストッパー１１ｇに当接する。そして、小絞りの絞り孔１３ｂが撮影レンズＬ１，Ｌ２の光軸上に位置する（第１位置）。このように、ばね掛けピン１３ｄの基部をストッパー１１ｇに当接させることで、絞り切換部材１３のあおりを小さくして精度良く位置決めを行うようにしている。また、セクター１２はシャッタ地板１１の開口部１１ａを閉鎖している。更にこのときは、操作部材４によってメインスイッチ２２がオフになっているので、ストロボ装置２０は充電を行わない。
【００２８】
この状態で周知の如く図示していない巻上げノブを回転させると、フィルムが１コマ巻上げられると共に、説明を省略したシャッタ作動機構により図６に示したチャージレバー３１がチャージレバーバネを付勢した状態で係止される。ここで、図示していないレリーズボタンを押下すると、チャージレバー３１の係止が解除され、チャージレバー３１はチャージレバーバネの付勢力によって急激に反時計方向（図６の上方から見て）に回動する。すると、チャージレバー３１の右端部３１ｂがセクターレバー３２の左端部３２ｅを勢いよく蹴飛ばす。これによって、セクターレバー３２は引っ張りバネ３３の付勢力に抗して時計方向（図６の上方から見て）に回動する。すると、セクター回動ピン３２ｃも回動するので、セクター回動ピン３２ｃはセクター１２の二股部１２ｂを介してセクター１２を正面から見て反時計方向に回動させる。このとき、セクター１２の連動ピン１２ｃは切り欠き部１３ｇ内を移動する。セクター１２はセクターレバー３２と共に回動し、シャッタ地板１１の開口部１１ａを開放して、更に回動した回動停止位置で回動は停止する。その後は、引っ張りバネ３３の付勢力によってセクターレバー３２は反時計方向（図６の上方から見て）に回動し、セクター１２は正面から見て時計方向に回動して初期位置に戻り、再びシャッタ地板１１の開口部１１ａを閉鎖する。
【００２９】
次に、図３においては低輝度の撮影に適した状態であり、操作部材４を図２の状態から右方に摺動操作する。すると、絞り切換部材１３はねじりコイルばね１４の付勢力に抗して反時計方向に回動し、略中央の回動位置で付勢方向が反転し、その後はねじりコイルばね１４の付勢力によって自動的に反時計方向に回動し、大絞りの絞り孔１３ａに切り換わる。そして、大絞りの絞り孔１３ａが撮影レンズＬ１，Ｌ２の光軸上に位置する（第２位置）。１１ｆは絞り切換部材１３のばね掛けピン１３ｄの基部が当接するストッパーである。
【００３０】
このとき、絞り切換部材１３の反時計方向への回動によって、切り欠き部１３ｇの側端がセクター１２の連動ピン１２ｃを押圧し、セクター１２を絞り切換部材１３と一体的に反時計方向に回動させる。これにより、セクター１２は回動停止位置より少し前のシャッタ地板１１の開口部１１ａを開放させることになり、フィルムへの露光が開始する。
【００３１】
このとき、セクターレバー３２も引っ張りバネ３３の付勢力に抗して時計方向（図６の上方から見て）に回動しているが、この回動位置はセクターレバー３２のピン３２ｄがストロボ装置２０のシンクロスイッチをオンさせない位置である。
【００３２】
また、操作部材４が右方に摺動しているので、メインスイッチ２２はオンになっていて、ストロボ装置２０は充電を開始している。
【００３３】
この状態でレリーズボタンを押下すると、セクター１２を開放位置まで回動させているセクターレバー３２は前述と同様にチャージレバー３１によって蹴飛ばされ、セクターレバー３２はセクター１２が回動停止位置に達する位置まで更に時計方向に回動するので、セクターレバー３２のピン３２ｄがストロボ装置２０のシンクロスイッチをオンさせて、ストロボ装置２０を発光させる。従って、低輝度で暗い主要被写体（人物等）はストロボ光によって適正な露出が得られる。
【００３４】
この間、セクター１２はシャッタ地板１１の開口部１１ａを開放させ続けるので暗い背景に対して長時間露出となる。従って、適当な秒数が経った後に、操作部材４を図３の状態から左方に摺動操作すれば、絞り切換部材１３はねじりコイルばね１４の付勢力に抗して時計方向に回動し、略中央の回動位置で付勢方向が反転し、その後はねじりコイルばね１４の付勢力によって自動的に時計方向に回動し、図２の如く小絞りの絞り孔１３ｂに切り換わる。このとき、絞り切換部材１３の時計方向の回動によって切り欠き部１３ｇも回動・退避するので、セクター１２の連動ピン１２ｃは引っ張りバネ３３の付勢力によって切り欠き部１３ｇに追随し、セクター１２も時計方向（閉鎖方向）に回動してシャッタ地板１１の開口部１１ａを閉鎖する。従って、ここで長時間露出が終了する。
【００３５】
即ち、操作部材４の往復操作によりセクター１２が開閉するので、バルブ撮影が可能になる。
【００３６】
なお、操作部材４には両端を保持した弾性部４ｅが一体に形成され、弾性部４ｅから突出した突部４ｆが、図２においてはユニット本体１に設けたリブ１ｂの左端に当接し、図３においてはリブ１ｂの右端に当接してクリックストップを構成している。しかし、操作部材４と係合している絞り切換部材１３も絞り孔１３ａと絞り孔１３ｂとの２つの位置に弾性的に位置決めされるので、絞り切換部材１３の位置決めが確実になされるように係合ピン１３ｅと二股部４ｂとの間には所定の量の遊びを設けてある。
【００３７】
また、操作部材の突部４ｆがプリント基板２１と当接するのを防ぐため、突部４ｆは弾性部４ｅの中央でなく、若干右方に位置している。
【００３８】
撮影レンズＬ１，Ｌ２は撮影レンズ保持枠１５に挿入され、レンズ押さえ１６が撮影レンズ保持枠１５に係合することによって、撮影レンズＬ１，Ｌ２は撮影レンズ保持枠１５に保持されている。この撮影レンズ保持枠１５をシャッタ地板１１に係着することによってセクター１２、絞り切換部材１３を光軸方向に所定の間隙を有して回動可能に保持すると共に、セクター１２、絞り切換部材１３、ねじりコイルばね１４を略被覆し、開口部１１ａへの不要光を遮光している。
【００３９】
しかし、撮影レンズ保持枠１５の上部側壁は切り欠かれていてセクター１２の二股部１２ｂが上方に突出し、下部側壁も切り欠かれていて絞り切換部材１３の係合ピン１３ｅが下方に突出している。
【００４０】
また、シャッタ地板１１の支軸１１ｂ、軸１１ｃの先端は撮影レンズ保持枠１５の裏面に設けた穴と嵌合し、撮影レンズ保持枠１５をシャッタ地板１１に係合させるときの位置決めとなっている。従って、シャッタ地板１１の開口部１１ａと、絞り切換部材１３の絞り孔１３ａ，１３ｂと、撮影レンズ保持枠１５に保持された撮影レンズＬ１，Ｌ２のそれぞれの光軸を簡単な構成で精度良く一致させることができる。
【００４１】
また、セクター１２と絞り切換部材１３は支軸１１ｂに対して同軸に嵌合しているので、シャッタ地板１１は簡単な構成になっている。
【００４２】
また、セクター１２を回動させたときの摩擦力を低減して円滑に作動させるため、シャッタ地板１１に円弧状のリブ１１ｇを設けている。更に、セクター１２のみならず絞り切換部材１３の作動も円滑にするため、絞り切換部材１３の表面に円弧状のリブ１３ｆを設けると共に裏面にも設け、撮影レンズ保持枠１５の裏面にも円弧状のリブを設けている。
【００４３】
なお、本発明は以上の如く述べたセクターのみに適用できるものではなく、他の異なる形態のセクターにも適用できる。以下に図７を参照して、異なる形態のセクターについて説明する。図７はセクター等の正面図である。
【００４４】
図７において、セクター５１には長孔５１ａが設けられ、長孔５１ａは図示していないシャッタ地板に立設した支軸５２ｂに嵌入されている。そして、引っ張りバネ５３によってセクター５１は時計方向に付勢され、左下端がシャッタ地板に立設した停止ピン５２ｃに当接している。５４はチャージレバーであって、シャッタレリーズ時には矢印で示すように右方から左方に急速に移動し、シャッタチャージ時には矢印と反対方向である左方から右方に移動する。図７に示した状態はシャッタレリーズ前の状態であって、シャッタ地板の開口部５２ａをセクター５１の下部で遮蔽している。
【００４５】
次に、撮影のために図示していないレリーズボタンを押すと、図示していない周知のシャッタ駆動機構が作動し、チャージレバー５４が右方から左方に急速に移動して、セクター５１の上端の作動部５１ｂの右縁を強く蹴飛ばす。従って、セクター５１は引っ張りバネ５３の付勢力に抗して反時計方向に回動し、開口部５２ａを開放する。これと共に、チャージレバー５４は作動部５１ｂを乗り越え、作動部５１ｂの左方に移動する。セクター５１は開口部５２ａを開放して更に反時計方向に回動するうちに慣性力が弱まり、引っ張りバネ５３の付勢力と釣り合う状態になると回動が停止する。その後はセクター５１は引っ張りバネ５３の付勢力によって時計方向に回動し、再び開口部５２ａを遮蔽すると共に停止ピン５２ｃに当接して停止する。
【００４６】
このようにしてセクター５１がシャッタ地板の開口部５２ａを開閉するので、フィルムに被写体光が露光される。
【００４７】
シャッタチャージを行うときは、図示していない巻上げノブを回転させると、シャッタ駆動機構が作動し、チャージレバー５４は左方から右方に移動する。このとき、チャージレバー５４は作動部５１ｂの左縁に当接するが、チャージレバー５４が右方に移動するに伴い、セクター５１は長孔５１ａに沿って下方に移動する。従って、チャージレバー５４は作動部５１ｂを容易に乗り越えることができ、また、このときセクター５１は開口部５２ａを遮蔽した状態を維持している。
【００４８】
以上の如き構成のセクター５１に連動ピン５１ｃを立設し、前述の絞り切換部材１３に設けた切り欠き部１３ｇに挿入すれば、前述と同様に操作部材４の操作により絞り切換部材１３を回動させて連動ピン５１ｃを駆動し、セクター５１により開口部５２ａを開放して長時間露出を行うことができる。
【００４９】
なお、以上の実施の形態はレンズ付きフィルムユニットに関してだったが、本発明はレンズ付きフィルムユニットに限定されるものではなく、ユーザーがフィルムを装填する形式の一般のカメラであってもよい。
【００５０】
最後に「特許請求の範囲」で述べた用語と「発明の実施の形態」で述べた用語との対応を説明する。
【００５１】
付勢部材は引っ張りバネ３３，５３に相当する。
蹴飛ばし部材はチャージレバー３１，５４に相当する。
【００５２】
移動部材は絞り切換部材１３に相当する。なお、移動部材は必ずしも絞りを有する必要はない。また、作用部は切り欠き部１３ｇの側端に相当するが、必ずしも切り欠き部である必要はなく、バルブ撮影を行わない場合は蹴飛ばし部材によるセクターの開閉動作を可能とし、バルブ撮影を行う場合にセクターに作用してセクターを開放位置に移動させることができるなら、どのような形態であってもよい。
【００５３】
また、本実施の形態においては操作部材４の操作により移動部材（絞り切換部材１３）を移動させると共にストロボ装置をオンにしたが、ストロボ装置を設けなくてもよい。また、ストロボ装置を設ける場合は、ストロボ装置をオンにする操作部材を別個に設けてもよい。
【００５４】
更に、移動部材がセクター１２を開放位置に直接移動させずに、セクターレバー３２を介して移動させるようにしてもよい。
【００５５】
【発明の効果】
本発明によれば、シャッタ装置に簡単な構成で且つ安価にバルブ機構を設けることが可能になるという効果を奏する。
【図面の簡単な説明】
【図１】レンズ付きフィルムユニットの分解斜視図である。
【図２】小絞りにしたときの外装部品を外したレンズ付きフィルムユニットの正面図である。
【図３】大絞りにしたときの外装部品を外したレンズ付きフィルムユニットの正面図である。
【図４】操作部材とストロボスイッチの拡大断面図である。
【図５】シャッタ装置等の分解斜視図である。
【図６】シャッタ駆動機構の主要部の斜視図である。
【図７】異なる形態のセクター等の正面図である。
【符号の説明】
４　操作部材
１０　シャッタ装置
１１　シャッタ地板
１１ａ，５２ａ　開口部
１２，５１　セクター
１２ｃ，５１ｃ　連動ピン
１３　絞り切換部材
１３ｇ　切り欠き部
２０　ストロボ装置
２２　メインスイッチ
３１，５４　チャージレバー
３２　セクターレバー
【図１】
2004053731.tif 000003
【図２】
2004053731.tif 000004
【図３】
2004053731.tif 000005
【図４】
2004053731.tif 000006
【図５】
2004053731.tif 000007
【図６】
2004053731.tif 000008
【図７】
2004053731.tif 000009